(57)【要約】【課題】映像編集時の操作性を改善する。【解決手段】ディスクドライブ装置１には、本線動画、および本線動画を低解像度化した低解像度画像が記録されたディスクが挿入されている。ノンリニア編集機３より、所定の低解像度画像ファイルが要求された場合、ディスクドライブ装置１は、要求された所定の低解像度画像ファイルをディスクより読み出し、ノンリニア編集機３に送信すると共に、ノンリニア編集機３に送信した低解像動画像と対応する本線動画データをディスクより読み出し、モニタ４に出力する。映像の編集者は、モニタ４に表示される高解像度の本線動画を確認しながら、ノンリニア編集機３において、低解像度画像を利用して、映像の編集を行うことが出来る。本発明は、第１の動画像、および第１の動画像を低解像度化した第２の動画像が記録された記録メディアを再生する再生装置に適用することができる。【選択図】　　　図１
2004072476.tif 000002
【特許請求の範囲】
【請求項１】
第１の動画像、および前記第１の動画像を低解像度にした第２の動画像が記録された記録媒体を再生する再生装置において、
前記第１の動画像、および前記第２の動画像を前記記録媒体より読み出す読み出し手段と、
前記読み出し手段により読み出された前記第１の動画像を、前記第１の動画像を表示する表示装置に出力する出力手段と、
前記読み出し手段により読み出された前記第２の動画像を、前記第２の動画像を編集する編集装置に送信する送信手段と
を備えることを特徴とする再生装置。
【請求項２】
前記編集装置より、前記第２の動画像の送信要求を受信する受信手段と、
前記第１の動画像の再生の指示を受け付ける受付手段と
をさらに備えることを特徴とする請求項１に記載の再生装置。
【請求項３】
前記受付手段により受け付けられる前記第１の動画像の再生の指示は、前記第１の動画像の所定の倍速による再生の指示を含む
ことを特徴とする請求項２に記載の再生装置。
【請求項４】
前記読み出し手段は、前記受付手段により所定の位置からの前記第１の動画像の再生の指示が受け付けられ、かつ、前記受信手段により前記第２の動画像の前記送信要求が受信された場合、前記第２の動画像の読み出しを、前記第１の動画像の読み出しより優先して実行する
ことを特徴とする請求項２に記載の再生装置。
【請求項５】
前記読み出し手段は、前記受信手段により前記第２の動画像の前記送信要求が受信された場合、前記第２の動画像、および前記第２の動画像に対応する前記第１の動画像を読み出す
ことを特徴とする請求項２に記載の再生装置。
【請求項６】
前記読み出し手段は、前記受付手段により所定の位置からの前記第１の動画像の再生の指示が受け付けられ、かつ、前記受信手段により前記第２の動画像の前記送信要求が受信された場合、前記第２の動画像を読み出すと共に、前記受付手段により受け付けられた位置から前記第１の動画像を読み出す
ことを特徴とする請求項２に記載の再生装置。
【請求項７】
前記読み出し手段は、前記受付手段により所定の位置からの前記第１の動画像の再生の指示が受け付けられ、かつ、前記受信手段により前記第２の動画像の前記送信要求が受信された場合、前記第２の動画像、および前記第２の動画像に対応する前記第１の動画像を読み出し、前記受付手段により所定の位置からの前記第１の動画像の再生の指示が受け付けられ、かつ、前記受信手段により前記第２の動画像の前記送信要求が受信されていない場合、前記受付手段により受け付けられた所定の位置から前記第１の動画像を読み出す
ことを特徴とする請求項２に記載の再生装置。
【請求項８】
第１の動画像、および前記第１の動画像を低解像度にした第２の動画像が記録された記録媒体を再生する再生装置の再生方法において、
前記第１の動画像、および前記第２の動画像を前記記録媒体より読み出す読み出しステップと、
前記読み出しステップの処理により読み出された前記第１の動画像を、前記第１の動画像を表示する表示装置に出力する出力ステップと、
前記読み出しステップの処理により読み出された前記第２の動画像を、前記第２の動画像を編集する編集装置に送信する送信ステップと
を含むことを特徴とする再生方法。
【請求項９】
第１の動画像、および前記第１の動画像を低解像度にした第２の動画像が記録された記録媒体を再生する再生装置用のプログラムであって、
前記第１の動画像、および前記第２の動画像を前記記録媒体より読み出す読み出しステップと、
前記読み出しステップの処理により読み出された前記第１の動画像の、前記第１の動画像を表示する表示装置への出力を制御する出力制御ステップと、
前記読み出しステップの処理により読み出された前記第２の動画像の、前記第２の動画像を編集する編集装置への送信を制御する送信制御ステップと
を含むことを特徴とするコンピュータが読み取り可能なプログラムが記録されている記録媒体。
【請求項１０】
第１の動画像、および前記第１の動画像を低解像度にした第２の動画像が記録された記録媒体を再生する再生装置を制御するコンピュータに、
前記第１の動画像、および前記第２の動画像を前記記録媒体より読み出す読み出しステップと、
前記読み出しステップの処理により読み出された前記第１の動画像の、前記第１の動画像を表示する表示装置への出力を制御する出力制御ステップと、
前記読み出しステップの処理により読み出された前記第２の動画像の、前記第２の動画像を編集する編集装置への送信を制御する送信制御ステップと
を実行させることを特徴とするプログラム。
【発明の詳細な説明】
【０００１】
【発明の属する技術分野】
本発明は、再生装置および方法、記録媒体、並びにプログラムに関し、特に、映像編集の操作性を改善することができるようにした再生装置および方法、記録媒体、並びにプログラムに関する。
【０００２】
【従来の技術】
従来、映像編集の分野においては、リニア編集が行われていた。リニア編集においては、まず、映像が記録されたテープを再生する再生装置と、映像を記録する記録装置を接続し、再生装置側では、採用する映像の再生開始ポイントと再生終了ポイントを探し出し、記録装置側では、記録開始ポイントを指定する。次に、再生装置の再生と記録装置の記録を同時にスタートさせ、再生装置により再生されている映像を記録装置により記録してゆく。上記の操作を繰り返し実行して、映像が記録されたテープより、所望の映像のみを抽出して、映像を編集してゆく。
【０００３】
また、リニア編集とは異なる編集として、フィルムの編集が知られている。この場合、映像が記録されたフィルムから、所望の映像が記録されたフィルムだけを切り出し、所望のフィルム同士を貼りつなげてゆくことにより、映像を編集する。フィルム編集の場合、一旦編集された映像の再編集が容易であるという利点がある。すなわち、リニア編集においては、ある映像１に続けて映像２を記録した後、映像１と映像２の間に映像３を挿入したい場合、再度、映像１の後に、映像３を記録し、映像３の後に映像２を記録するという手順が必要である。これに対して、フィルム編集では、貼りつなげられた映像１のフィルムと映像２のフィルムの間に映像３のフィルムを挿入する場合、映像１と映像２が記録されたフィルムを切断して、間に映像３のフィルムを挿入し、再度、映像１、映像３、映像２の順番で貼りつなげれば良い。従って、リニア編集と比較して、再編集が容易である。
【０００４】
昨今、上記のようなリニア編集やフィルム編集に代わり、パーソナルコンピュータやワークステーションといった小型コンピュータによるノンリニア編集が普及している。なお、以下の説明において、ノンリニア編集を行う装置のことを、ノンリニア編集機とも称する。
【０００５】
小型コンピュータを利用したノンリニア編集においては、記録メディアに記録された動画を、ハードディスクなどの記憶装置に取り込み、編集する。画像をデジタル化するため、編集を繰り返しても画質が劣化しないという利点がある。また、フィルム編集と同様に、編集が容易であるという利点がある。
【０００６】
また、フィルム編集の場合、映像が記録されたフィルムを物理的に切断する必要があるが、ノンリニア編集機による編集の場合、そのような必要が無いという利点がある。
【０００７】
【発明が解決しようとする課題】
しかしながら、上記のような小型コンピュータを用いてノンリニア編集を行う場合、小型コンピュータは、まず、映像が記録された記録メディアから、編集する映像が含まれる映像ファイルを全て吸い出して（アップロードして）から映像の編集作業を開始するため、映像ファイルのアップロードに長時間を要する。結果的に、実際の編集作業を開始するまでに長時間を要するという課題があった。従って、報道関係などのように、短時間で映像を編集することが要求される状況においては、ノンリニア編集を行う時間的余裕が無いという課題があった。
【０００８】
上記の問題を解決する次のような方法が知られている。まず、予め記録メディアに、映像データと共に、映像の画質を落とした低解像度の映像ファイルを記録しておく（以下の説明において、映像の画質を落とした低解像度の映像を低解像度画像と称し、元となる高解像度の映像を、本線動画と称する）。そして、映像を編集する際には、記録メディアから低解像度画像ファイルを読み出して編集する。低解像度画像ファイルは、本線動画データよりデータ量が小さく、従って、記録メディアからの読み出しに要する時間が短くて済む。結果的に、この方法によれば、編集に要する時間を短縮することができる。
【０００９】
しかしながら、このような方法の場合、映像を編集する編集者は、低解像度の映像しか参照することができず、例えば、映像の細部を確認したい場合のように、高解像度の本線動画を必要とするときは、本線動画ファイルを小型コンピュータにアップロードする必要があった。従って、このような場合、編集に要する時間を短縮することが出来ないという課題があった。
【００１０】
また、本線動画を小型コンピュータにアップロードさせ、編集する場合、低解像度画像を用いて編集する場合と比較して、より大きな消費電力を要するという課題があった。
【００１１】
本発明はこのような状況に鑑みてなされたものであり、映像編集の操作性を改善することを目的とする。
【００１２】
【課題を解決するための手段】
本発明の再生装置は、第１の動画像、および第１の動画像を低解像度にした第２の動画像が記録された記録媒体より、第１の動画像、および第２の動画像を読み出す読み出し手段と、読み出し手段により読み出された第１の動画像を、第１の動画像を表示する表示装置に出力する出力手段と、読み出し手段により読み出された第２の動画像を、第２の動画像を編集する編集装置に送信する送信手段とを備えることを特徴とする。
【００１３】
前記編集装置より、前記第２の動画像の送信要求を受信する受信手段と、前記第１の動画像の再生の指示を受け付ける受付手段とをさらに設けるようにすることができる。
【００１４】
前記受付手段により受け付けられる前記第１の動画像の再生の指示は、前記第１の動画像の所定の倍速による再生の指示を含むようにすることができる。
【００１５】
前記読み出し手段には、前記受付手段により所定の位置からの前記第１の動画像の再生の指示が受け付けられ、かつ、前記受信手段により前記第２の動画像の前記送信要求が受信された場合、前記第２の動画像の読み出しを、前記第１の動画像の読み出しより優先して実行するようにさせることができる。
【００１６】
前記読み出し手段には、前記受信手段により前記第２の動画像の前記送信要求が受信された場合、前記第２の動画像、および前記第２の動画像に対応する前記第１の動画像を読み出すようにさせることができる。
【００１７】
前記読み出し手段には、前記受付手段により所定の位置からの前記第１の動画像の再生の指示が受け付けられ、かつ、前記受信手段により前記第２の動画像の前記送信要求が受信された場合、前記第２の動画像を読み出すと共に、前記受付手段により受け付けられた位置から前記第１の動画像を読み出すようにさせることができる。
【００１８】
前記読み出し手段には、前記受付手段により所定の位置からの前記第１の動画像の再生の指示が受け付けられ、かつ、前記受信手段により前記第２の動画像の前記送信要求が受信された場合、前記第２の動画像、および前記第２の動画像に対応する前記第１の動画像を読み出し、前記受付手段により所定の位置からの前記第１の動画像の再生の指示が受け付けられ、かつ、前記受信手段により前記第２の動画像の前記送信要求が受信されていない場合、前記受付手段により受け付けられた所定の位置から前記第１の動画像を読み出すようにさせることができる。
【００１９】
本発明の再生方法は、第１の動画像、および第１の動画像を低解像度にした第２の動画像が記録された記録媒体より、第１の動画像、および第２の動画像を読み出す読み出しステップと、読み出しステップの処理により読み出された第１の動画像を、第１の動画像を表示する表示装置に出力する出力ステップと、読み出しステップの処理により読み出された第２の動画像を、第２の動画像を編集する編集装置に送信する送信ステップとを含むことを特徴とする。
【００２０】
本発明の記録媒体のプログラムは、第１の動画像、および第１の動画像を低解像度にした第２の動画像が記録された記録媒体より、第１の動画像、および第２の動画像を読み出す読み出しステップと、読み出しステップの処理により読み出された第１の動画像の、第１の動画像を表示する表示装置への出力を制御する出力制御ステップと、読み出しステップの処理により読み出された第２の動画像の、第２の動画像を編集する編集装置への送信を制御する送信制御ステップとを含むことを特徴とする。
【００２１】
本発明のプログラムは、第１の動画像、および第１の動画像を低解像度にした第２の動画像が記録された記録媒体より、第１の動画像、および第２の動画像を読み出す読み出しステップと、読み出しステップの処理により読み出された第１の動画像の、第１の動画像を表示する表示装置への出力を制御する出力制御ステップと、読み出しステップの処理により読み出された第２の動画像の、第２の動画像を編集する編集装置への送信を制御する送信制御ステップとを実行させることを特徴とする。
【００２２】
本発明の再生装置および方法、記録媒体、並びにプログラムにおいては、第１の動画像、および第１の動画像を低解像度にしてデータ量を少なくした第２の動画像が記録された記録媒体より、第１の動画像、および第２の動画像が読み出される。そして、読み出された第１の動画像は、表示装置に出力され、表示装置により表示される。また、読み出された第２の動画像は、編集装置に送信され、編集装置による編集の際に利用される。
【００２３】
【発明の実施の形態】
図１は、本発明をディスクドライブ装置１に適用した場合の一実施の形態を示す図である。
【００２４】
図１において、ディスクドライブ装置１には、本線動画データ、および本線動画を低解像度化した低解像度画像ファイルが記録されたディスク２１（図６）が挿入されている。なお、低解像度画像ファイルは、動画像ファイルである。ディスクドライブ装置１は、編集者（ノンリニア編集機３の使用者）から、本線動画の再生に関する指示が入力された場合、指示された本線動画を、挿入されているディスク２１より読み出し、モニタ４に表示させる。また、ディスクドライブ装置１は、ノンリニア編集機３より、低解像度画像の送信要求が受信された場合、低解像度画像をディスク２１より読み出し、通信回線２を介して、ノンリニア編集機３に送信すると共に、ノンリニア編集機３に送信した低解像度画像に対応する本線動画をディスク２１より読み出し、モニタ４に表示させる。
【００２５】
なお、発明の実施の形態の説明において、「本線動画に対応する低解像度画像」、および「低解像度画像に対応する本線動画」という表現は、次のような意味で用いる。ディスク２１には、本線動画の各フレームを基に作成された低解像度画像が記録されている。「本線動画に対応する低解像度画像」とは、ある本線動画のフレームに注目したときに、そのフレームを基に作成された低解像度画像のことを示す。また、「低解像度画像に対応する本線動画」とは、ある低解像度画像に注目したときに、その低解像度画像を作成する際に基となる本線動画のフレームことを示す。なお、本線動画と低解像度画像は、ディスク２１にインタリーブして記録されている。
【００２６】
通信回線２は、例えば、ＩＥＥＥ（Ｔｈｅ　Ｉｎｓｔｉｔｕｔｅ　ｏｆ　Ｅｌｅｃｔｒｉｃａｌ　ａｎｄ　Ｅｌｅｃｔｒｏｎｉｃｓ　Ｅｎｇｉｎｅｅｒｓ）１３９４、ＵＳＢ（Ｕｎｉｖｅｒｓａｌ　Ｓｅｒｉａｌ　Ｂｕｓ）、イーサネット（登録商標）、ブルートゥース、または携帯電話回線網により構成され、ディスクドライブ装置１とノンリニア編集機３との間の通信を媒介する。
【００２７】
ノンリニア編集機３は、通信回線２を介して、ディスクドライブ装置１から低解像度画像を取得し、取得した低解像度画像を表示する。そして、映像を編集する編集者は、表示された低解像度画像を基に、編集操作を入力する。ノンリニア編集機３は、編集者から入力を受け付けた編集操作に基づいて、映像の編集処理を行う。また、ノンリニア編集機３は、編集者により、モニタ４への本線動画の表示の指示（１倍速再生、高速再生（１倍速より高速な再生）、スロー再生、および再生の停止の指示を含む）が入力された場合、ディスクドライブ装置１に、モニタ４への本線動画の表示を要求する。
【００２８】
モニタ４は、ディスクドライブ装置１から供給された本線動画を表示する。
【００２９】
本発明のディスクドライブ装置１は、ディスク２１（図６）に記録された低解像度画像ファイルをノンリニア編集機３に送信する。ノンリニア編集機３は、ディスクドライブ装置１から取得した低解像度画像を利用して、映像の編集処理を実行する。また、ディスクドライブ装置１は、低解像度画像ファイルをノンリニア編集機３に送信した後、本線動画をディスク２１から読み出し、モニタ４に表示させる。低解像度画像ファイルは、本線動画データよりデータ量が小さく、従って、ディスク２１からの読み出し、およびノンリニア編集機３への送信に要する時間が短くて済む。結果的に、編集者が編集作業を開始するまでに要する時間を短縮することができる。また、低解像度画像ファイルをノンリニア編集機３に送信した後、本線動画をディスク２１から読み出し、モニタ４に表示させることにより、編集者は高解像度の映像を参照して映像の編集作業を行うことが可能となる。
【００３０】
次に、図１のディスクドライブ装置１の動作について説明する。ディスクドライブ装置１は、入力部４１（図６）が操作されて、本線動画の１倍速再生、高速再生、スロー再生、再生の一時停止などが指示された場合、入力部４１に入力された操作に従って、ディスク２１（図６）から本線動画を読み出し、モニタ４へ表示させる。また、ディスクドライブ装置１は、入力部４１（図６）が操作されて、本線動画の再生の停止が指示された場合、入力部４１に入力された操作に従って、ディスク２１（図６）からの本線動画の読み出し、およびモニタ４へ表示を停止させる。
【００３１】
次に、図１のディスクドライブ装置１のその他の動作について、図２乃至図５を参照して説明する。図２乃至図５は、ディスクドライブ装置１の動作の異なる複数の例を、それぞれ示している。
【００３２】
図２は、ノンリニア編集機３が、モニタ４への本線動画の表示を制御する場合の例を示す図である。図２において、ノンリニア編集機３は、編集者から、本線動画の１倍速再生、高速再生、スロー再生、または再生停止の指示が入力されると、ステップＳ１において、ディスクドライブ装置１に対して、本線動画の所定の再生位置からの１倍速再生、スロー再生、高速再生、または再生停止の指示を送信する。ディスクドライブ装置１は、ノンリニア編集機３から受信した指示に従って、挿入されたディスク２１（図６）から本線動画を読み出し、ステップＳ２において、読み出した本線動画をモニタ４に出力する（なお、ノンリニア編集機３からの指示が本線動画の再生の停止であった場合、ディスクドライブ装置１は、ディスク２１（図６）からの本線動画の読み出し、およびモニタ４への出力を停止する）。
【００３３】
図３は、ノンリニア編集機３が、ディスクドライブ装置１から、ディスク２１に記録されている低解像度画像を取得する場合の例を示す図である。図３において、ノンリニア編集機３は、編集者から、編集者が所望する所定の低解像度画像を取得するようにとの指示の入力を受けて、ステップＳ４１において、ディスクドライブ装置１に、編集者により指定された低解像度画像を送信するように要求する。ディスクドライブ装置１は、ノンリニア編集機３からの、低解像度画像を送信するようにとの要求を受信すると、挿入されたディスク２１（図６）から、要求された低解像度画像を読み出し、ステップＳ４２において、読み出した低解像度画像をノンリニア編集機３に送信する。ノンリニア編集機３は、受信した低解像度画像を表示し、編集者からの編集操作を受け付ける。
【００３４】
図４は、ディスクドライブ装置１が、ノンリニア編集機３に送信する低解像度画像に対応する本線動画をモニタ４に表示させる場合の例を示す図である。図４において、ノンリニア編集機３は、編集者から、編集者が所望する所定の低解像度画像を取得するようにとの指示の入力を受けて、ステップＳ８１において、ディスクドライブ装置１に、編集者により指定された低解像度画像を送信するように要求する。ディスクドライブ装置１は、ノンリニア編集機３からの、低解像度画像を送信するようにとの要求を受信すると、挿入されたディスク２１（図６）から、要求された低解像度画像を読み出し、ステップＳ８２において、読み出した低解像度画像をノンリニア編集機３に送信する。ノンリニア編集機３は、受信した低解像度画像を表示し、編集者からの編集操作を受け付ける。ここまでの処理は、図３の場合と同様である。
【００３５】
ステップＳ８２の後、ステップＳ８３において、ディスクドライブ装置１は、ディスク２１（図６）から、ノンリニア編集機３に送信した低解像度画像に対応する本線動画を読み出し、モニタ４に出力する。結果的に、モニタ４には、ノンリニア編集機３に送信された低解像度画像に対応する本線動画が表示される。編集者は、モニタ４に表示された本線動画を閲覧することにより、高解像度の映像の細部を確認して、編集を行うことができる。
【００３６】
その後、ディスクドライブ装置１に設置された入力部４１（図６）が操作されて、モニタ４に出力されている本線動画の高速再生、スロー再生、再生の一時停止、再生の停止などが指示された場合、ディスクドライブ装置１は、入力部４１に入力された操作に従って、ディスク２１（図６）からの本線動画の読み出し、およびモニタ４への本線動画の出力を制御する。
【００３７】
図５は、ディスクドライブ装置１が、ノンリニア編集機３に送信する低解像度画像とは対応しない本線動画をモニタ４に表示させる場合の例を示す図である。図５において、ノンリニア編集機３は、編集者から、編集者が所望する所定の低解像度画像を取得するようにとの指示の入力を受けて、ステップＳ１２１において、ディスクドライブ装置１に、編集者により指定された低解像度画像を送信するように要求する。ディスクドライブ装置１は、ノンリニア編集機３からの、低解像度画像を送信するようにとの要求を受信すると、挿入されたディスク２１（図６）から、要求された低解像度画像を読み出し、ステップＳ１２２において、読み出した低解像度画像をノンリニア編集機３に送信する。ノンリニア編集機３は、受信した低解像度画像を表示し、編集者からの編集操作を受け付ける。ここまでの処理は、図３の場合と同様である。
【００３８】
ディスクドライブ装置１は、ディスクドライブ装置１に設置された入力部４１（図６）が操作されて、本線動画の１倍速再生、高速再生、スロー再生、再生の一時停止などの指示を受け付け、指示された本線動画をディスク２１（図６）から読み出し、ステップＳ１２３において、モニタ４に出力する。結果的に、モニタ４には、ノンリニア編集機３に送信した低解像度画像には対応しない本線動画が表示される。なお、ステップＳ１２１およびステップＳ１２２の処理と、ステップＳ１２３の処理は、上記の順番ではなく、例えば、ステップＳ１２３の処理が先に実行され、その後、ステップＳ１２１およびステップＳ１２２の処理が実行されても良い。また、ステップＳ１２３の処理を実行中に、ステップＳ１２３の処理を中断して、ステップＳ１２１およびステップＳ１２２の処理を実行しても良い。
【００３９】
次に、図６は、ディスクドライブ装置１の内部の構成例を表すブロック図である。
【００４０】
図６において、ディスク２１は、例えばＣＤ−ＲＯＭ（Ｃｏｍｐａｃｔ　Ｄｉｓｃ−Ｒｅａｄ　Ｏｎｌｙ　Ｍｅｍｏｒｙ）、またはＤＶＤ（Ｄｉｇｉｔａｌ　Ｖｅｒｓａｔｉｌｅ　Ｄｉｓｃ）のような光ディスク、または光磁気ディスク等により構成され、本線動画および低解像度画像がインタリーブ記録されている。ディスク２１は、ディスクドライブ装置１に装着され、ディスクドライブ装置１により、本線動画および低解像度画像が読み出される。
【００４１】
ディスクドライブ装置１の入力部４１は、編集者からの操作の入力を受け付け、受け付けた操作に対応する操作情報を制御部４２に通知する。また、入力部４１は、本線動画像の、再生、スロー再生、一時停止、本線動画像の再生位置を１フレームずつ移動させる（以下、本線動画の再生位置を１フレームずつ移動させることをジョグとも称する）操作、並びに本線動画の高速再生および巻き戻し再生（時系列を遡った映像の高速再生）（以下、本線動画の高速再生および巻き戻し再生をシャトルとも称する）の操作のうち、いずれかの操作が入力された場合、入力された操作に対応する操作情報をロケーション確認部４５に送信する。
【００４２】
制御部４２は、入力部４１からの操作情報、コマンド解析部４４から通知されるノンリニア編集機３からの要求に関する情報、および予め設定されたプログラムに従って、ディスクドライブ装置１の各部の動作を制御する。
【００４３】
マルチプレクサ／デマルチプレクサ４３は、ノンリニア編集機３から受信した信号から所定のデータを分離し、これをコマンド解析部４４に供給する。また、マルチプレクサ／デマルチプレクサ４３は、パケット化部５２から供給されたバケットなどのデータを多重化して、ノンリニア編集機３へ送信する。
【００４４】
コマンド解析部４４は、マルチプレクサ／デマルチプレクサ４３から供給されたデータを解析し、ノンリニア編集機３から受信した要求を特定する。すなわち、例えば、コマンド解析部４４は、ノンリニア編集機３から受信した要求が、モニタ４への本線動画の１倍速再生、高速再生、および停止、並びにノンリニア編集機３への低解像度画像の送信の要求のうち、いずれの要求であるのかを特定し、特定した要求を制御部４２に送信する。
【００４５】
また、ノンリニア編集機３から受信した要求が本線動画を再生の要求である場合、コマンド解析部４４は、本線動画の再生位置を特定し、特定した再生位置に関する情報をロケーション確認部４５に通知する。また、ノンリニア編集機３から受信した要求が低解像度画像の送信の要求である場合、コマンド解析部４４は、ノンリニア編集機３に送信すべき低解像度画像のファイルロケーション（ディスク２１への記録位置）を特定し、特定したファイルロケーションに関する情報をロケーション確認部４５に通知する。
【００４６】
ロケーション確認部４５は、コマンド解析部４４、または入力部４１からの通知に基づいて、ディスク２１上におけるピックアップ４９の読み出し位置を決定し、決定した読み出し位置を、ディスク制御部４７に通知する。また、ロケーション確認部４５は、ディスク２１から読み出された本線動画、または低解像度画像を記憶するために確保すべきバッファ５１の記憶領域を、バッファ制御部４６に通知する。
【００４７】
バッファ制御部４６は、ロケーション確認部４５からの通知に基づいて、ディスク２１から読み出された本線動画、または低解像度画像を記憶するためのバッファ５１の記憶領域を確保する。
【００４８】
ディスク制御部４７は、ロケーション確認部４５からの読み出し位置の通知に基づいて、スピンドルモータ４８の回転、およびピックアップ４９の読み出し位置を制御する。スピンドルモータ４８は、ディスク制御部４７の制御に従って、ディスク２１を回転させる。ピックアップ４９は、ディスク制御部４７の制御に従って、ディスク２１の所定の読み出し位置から、ディスク２１に記録されたデータを読み出し、これをＥＣＣ（Ｅｒｒｏｒ　Ｃｈｅｃｋｉｎｇ　ａｎｄ　Ｃｏｒｒｅｃｔｉｏｎ）デコーダ５０に供給する。
【００４９】
ＥＣＣデコーダ５０は、ピックアップ４９から供給されたデータの、エラーの検出を行った後、エラー検出済みのデータをバッファ５１に供給、および記憶させる。
【００５０】
バッファ５１は、ＥＣＣデコーダ５０から供給されたエラー検出済みのデータを、バッファ制御部４６により制御された記憶領域に記憶し、適宜、パケット化部５２、または動画デコーダ５３に供給する。なお、パケット化部５２には、低解像度画像のデータが供給され、動画デコーダ５３には、本線動画のデータが供給される。
【００５１】
パケット化部５２は、バッファ５１から供給された低解像度画像のデータを、パケット通信するためにパケット化し、マルチプレクサ／デマルチプレクサ４３に供給する。
【００５２】
動画デコーダ５３は、バッファ５１から供給された本線動画のデータをデコードし、モニタ４に出力し、表示させる。
【００５３】
本発明のディスクドライブ装置１においては、編集者は、入力部４１から操作を入力することにより、複数の異なる動作モードから、所望のモードを選択することができる。ディスクドライブ装置１には、モードの種類として、独立モード、追従モード、および自動モードの３つのモードが、予め用意されている。編集者は、入力部４１の操作により、この３つのモードの中から、所望するモードを選択することが出来る。
【００５４】
独立モードに設定された場合、ディスクドライブ装置１は、ノンリニア編集機３から、低解像度画像の送信要求を受信したとき、ノンリニア編集機３に要求された低解像度画像を送信するが、この際、ノンリニア編集機３に送信する低解像度画像とは無関係に、編集者により指示された本線動画をモニタ４に表示させる。また、独立モードに設定された場合、ディスクドライブ装置１は、編集者により本線動画のモニタ４への表示の指示が入力されていないとき、モニタ４には何も表示させない。
【００５５】
追従モードに設定された場合、ディスクドライブ装置１は、ノンリニア編集機３から、低解像度画像の送信要求を受信したとき、ノンリニア編集機３に要求された低解像度画像を送信すると共に、この際、ノンリニア編集機３に送信する低解像度画像に対応する本線動画をモニタ４に表示させる。
【００５６】
自動モードに設定された場合、ディスクドライブ装置１は、ノンリニア編集機３から、低解像度画像の送信要求を受信したとき、ノンリニア編集機３に要求された低解像度画像を送信するが、この際、ノンリニア編集機３に送信する低解像度画像とは無関係に、編集者により指示された本線動画をモニタ４に表示させる。また、自動モードに設定された場合、ディスクドライブ装置１は、編集者により本線動画のモニタ４への表示の指示が入力されず、かつ、ノンリニア編集機３から、低解像度画像の送信要求を受信したとき、ノンリニア編集機３に送信する低解像度画像に対応する本線動画をモニタ４に表示させる。
【００５７】
次に、図７のフローチャートを参照して、ディスクドライブ装置１の独立モード処理について詳細に説明する。
【００５８】
ステップＳ２０１において、制御部４２は、入力部４１からの操作情報に基づいて、編集者により再生コマンドが入力されたか否かを判定すると共に、コマンド解析部４４からの通知に基づいて、ノンリニア編集機３より、再生コマンドが受信されたか否かを判定する。なお、ノンリニア編集機３より、再生コマンドが受信された場合、まずマルチプレクサ／デマルチプレクサ４３によりデータが分離され、コマンド解析部４４により、ノンリニア編集機３からの要求が解析され、解析結果（ノンリニア編集機３からの要求の内容）が、制御部４２に通知される。そして、制御部４２が、再生コマンドが入力されたと判定した場合、または、ノンリニア編集機３より、再生コマンドが受信されたと判定した場合、処理はステップＳ２０２に進む。
【００５９】
ステップＳ２０２において、制御部４２は、コマンド解析部４４からの通知に基づいて、ノンリニア編集機３より、低解像度画像ファイルが要求されたか否かを判定し、ノンリニア編集機３より、低解像度画像ファイルが要求された場合、処理はステップＳ２０３に進む。
【００６０】
ステップＳ２０３において、制御部４２は、低解像度画像送信処理を実行する。ここで、ディスクドライブ装置１の低解像度画像送信処理について、図８のフローチャートを参照して、詳細に説明する。
【００６１】
コマンド解析部４４が、ノンリニア編集機３から低解像度画像ファイルの送信が要求されたと解析した場合、コマンド解析部４４は、要求されている低解像度画像ファイルを特定する特定情報をロケーション確認部４５に通知する。そこで、図８のステップＳ２３１において、ロケーション確認部４５は、コマンド解析部４４からの通知に基づいて、ピックアップ４９によるディスク２１上の低解像度画像ファイルの読み出し位置を決定し、ディスク制御部４７に通知すると共に、バッファ制御部４６に、バッファ５１に確保すべき記憶領域を通知する。
【００６２】
ステップＳ２３２において、バッファ制御部４６は、ロケーション確認部４５からの通知に基づいて、バッファ５１における低解像度画像ファイルの記憶領域を確保する。
【００６３】
ステップＳ２３３において、ディスク制御部４７は、ロケーション確認部４５からの読み出し位置の通知に基づいて、スピンドルモータ４８およびピックアップ４９を制御し、ピックアップ４９に、ステップＳ２３１で決定された読み出し位置から、低解像度画像ファイルを読み出させる。
【００６４】
ステップＳ２３４において、ＥＣＣデコーダ５０は、ステップＳ２３３でピックアップ４９により読み出された低解像度画像ファイルのデータのエラー検出を行う。ステップＳ２３５において、バッファ制御部４６は、ＥＣＣデコーダ５０でエラー検出が済んだ低解像度画像ファイルのデータを、予め確保したバッファ５１の記憶領域に記憶させる。
【００６５】
ステップＳ２３６において、パケット化部５２は、ステップＳ２３５でバッファ５１に記憶された低解像度画像ファイルをバッファ５１から読み出し、低解像度画像ファイルをノンリニア編集機３に送信するためのパケットを作成する。
【００６６】
ステップＳ２３７において、マルチプレクサ／デマルチプレクサ４３は、パケット化部５２で作成された低解像度画像ファイルを含むパケットを、通信回線２を介して、ノンリニア編集機３に送信する。
【００６７】
以上で、ディスクドライブ装置１の低解像度画像送信処理を終了する。
【００６８】
図７に戻って、ステップＳ２０３の低解像度画像送信処理の後、処理はステップＳ２０４に進む。
【００６９】
図７のステップＳ２０２において、制御部４２が、ノンリニア編集機３より、低解像度画像ファイルが要求されてはいないと判定した場合、ステップＳ２０３の処理はスキップされ、処理はステップＳ２０４に進む。
【００７０】
先に、ステップＳ２０１で、制御部４２は、再生コマンドが入力されたと判定しているため、次にディスクドライブ装置１は、本線動画の再生を行う。すなわち、まずステップＳ２０４において、ロケーション確認部４５は、入力部４１から入力された操作情報、またはコマンド解析部４４からの再生コマンドの通知に基づいて、ピックアップ４９によるディスク２１上の本線動画の読み出し位置を決定し、ディスク制御部４７に通知すると共に、バッファ制御部４６に、バッファ５１に確保すべき記憶領域を通知する。
【００７１】
ステップＳ２０５において、制御部４２は、ディスクドライブ装置１の各部を制御して、本線動画出力処理を実行する。ここで、図９のフローチャートを参照して、ディスクドライブ装置１の本線動画出力処理について詳細に説明する。
【００７２】
図９のステップＳ２６１において、バッファ制御部４６は、ロケーション確認部４５からの通知に基づいて、バッファ５１における本線動画データの記憶領域を確保する。
【００７３】
ステップＳ２６２において、ディスク制御部４７は、図７のステップＳ２０４におけるロケーション確認部４５からの読み出し位置の通知に基づいて、スピンドルモータ４８およびピックアップ４９を制御し、ピックアップ４９に、通知された読み出し位置から、本線動画データを読み出させる。
【００７４】
ステップＳ２６３において、ＥＣＣデコーダ５０は、ステップＳ２６２でピックアップ４９により読み出された本線動画データのエラー検出を行う。ステップＳ２６４において、バッファ制御部４６は、ＥＣＣデコーダ５０でエラー検出が済んだ本線動画データを、予め確保したバッファ５１の記憶領域に記憶させる。
【００７５】
ステップＳ２６５において、動画デコーダ５３は、ステップＳ２６４でバッファ５１に記憶された本線動画データを読み出し、これをデコードする。なお、本線動画データは、例えば、ＭＰＥＧ（Ｍｏｖｉｎｇ　Ｐｉｃｔｕｒｅ　Ｅｘｐｅｒｔｓ　Ｇｒｏｕｐ）２の規格によりエンコードされ、ディスク２１に記録されている。従って、この場合、動画デコーダ５３は、ＭＰＥＧ２の規格に則り、本線動画データをデコードする。
【００７６】
ステップＳ２６６において、動画デコーダ５３は、デコードした本線動画を、モニタ４に出力する。モニタ４は、動画デコーダ５３から出力された本線動画を表示する。
【００７７】
以上で、ディスクドライブ装置１の本線動画出力処理が終了すると、処理は図７のステップＳ２０６に進む。
【００７８】
ステップＳ２０６において、制御部４２は、入力部４１からの操作情報に基づいて、編集者により再生コマンドが入力されたか否かを判定すると共に、コマンド解析部４４からの通知に基づいて、ノンリニア編集機３より、再生コマンドが受信されたか否かを判定する。そして、制御部４２が、再生コマンドが入力されたと判定した場合、または、ノンリニア編集機３より、再生コマンドが受信されたと判定した場合、処理はステップＳ２０２に戻り、ステップＳ２０２以降の処理が繰り返し実行される。
【００７９】
ステップＳ２０６において、制御部４２が、再生コマンドが入力されず、かつ、ノンリニア編集機３より、再生コマンドが受信されていないと判定した場合、処理はステップＳ２０７に進む。
【００８０】
ステップＳ２０７において、制御部４２は、入力部４１からの操作情報に基づいて、編集者により停止コマンドが入力されたか否かを判定すると共に、コマンド解析部４４からの通知に基づいて、ノンリニア編集機３より、停止コマンドが受信されたか否かを判定する。なお、停止コマンドとは、本線動画のモニタ４への表示を終了させるコマンドである。そして、制御部４２が、停止コマンドが入力されたと判定した場合、または、ノンリニア編集機３より、停止コマンドが受信されたと判定した場合、処理はステップＳ２０１に戻り、ステップＳ２０１以降の処理が繰り返し実行される。従って、モニタ４への本線動画の表示は停止される。
【００８１】
ステップＳ２０７において、制御部４２が、停止コマンドが入力されず、かつ、ノンリニア編集機３より、停止コマンドが受信されていないと判定した場合、処理はステップＳ２０８に進む。
【００８２】
ステップＳ２０８において、制御部４２は、コマンド解析部４４からの通知に基づいて、ノンリニア編集機３より、低解像度画像ファイルが要求されたか否かを判定し、ノンリニア編集機３より、低解像度画像ファイルが要求された場合、処理はステップＳ２０９に進む。ステップＳ２０９において、制御部４２は、ディスクドライブ装置１の各部を制御して、図８の低解像度画像送信処理を実行する。その後、処理はステップＳ２０５に戻り、ステップＳ２０５以降の処理が繰り返し実行される。結果的に、モニタ４への、本線動画の表示が繰り返される。
【００８３】
ステップＳ２０８において、制御部４２が、ノンリニア編集機３より、低解像度画像ファイルが要求されていないと判定した場合、処理はステップＳ２０５に戻り、ステップＳ２０５以降の処理が繰り返し実行される。結果的に、モニタ４への、本線動画の表示が繰り返される。
【００８４】
なお、ステップＳ２０８の処理の後、またはステップＳ２０９の処理の後に、繰り返し実行されるステップＳ２０５の処理においては、本線動画データの読み出し位置は、前回実行されたステップＳ２０５の処理における読み出し位置と同一の読み出し位置であるようにしても良いし、時系列上、前回実行されたステップＳ２０５の処理において読み出された本線動画データに続く本線動画データの読み出し位置であっても良い。
【００８５】
繰り返し実行されるステップＳ２０５の処理において、本線動画データの読み出し位置を、前回実行されたステップＳ２０５の処理における読み出し位置と同一の読み出し位置であるようにした場合、ステップＳ２０４で決定された読み出し位置から、同一区間の本線動画データが繰り返し読み出され、モニタ４には、同一区間の本線動画が繰り返し表示される。繰り返し実行されるステップＳ２０５の処理において、本線動画データの読み出し位置を、時系列上、前回実行されたステップＳ２０５の処理において読み出された本線動画データに続く本線動画データの読み出し位置であるようにした場合、モニタ４には、時系列に沿って、前回モニタ４に表示された本線動画に続く本線動画が表示される。
【００８６】
ステップＳ２０１において、制御部４２が、再生コマンドが入力されず、かつ、ノンリニア編集機３より、再生コマンドが受信されていない判定した場合、処理はステップＳ２１０に進む。
【００８７】
ステップＳ２１０において、制御部４２は、コマンド解析部４４からの通知に基づいて、ノンリニア編集機３より、低解像度画像ファイルが要求されたか否かを判定し、ノンリニア編集機３より、低解像度画像ファイルが要求された場合、処理はステップＳ２１１に進む。ステップＳ２１１において、制御部４２は、ディスクドライブ装置１の各部を制御して、図８の低解像度画像送信処理を実行する。その後、処理はステップＳ２０１に戻り、ステップＳ２０１以降の処理が繰り返し実行される。
【００８８】
ステップＳ２１０において、制御部４２が、ノンリニア編集機３より、低解像度画像ファイルが要求されていないと判定した場合、処理はステップＳ２０１に戻り、ステップＳ２０１以降の処理が繰り返し実行される。
【００８９】
以上のようにして、ディスクドライブ装置１の独立モード処理が実行される。独立モード処理によれば、編集者は、ノンリニア編集機３において編集操作に利用する低解像度画像と対応しない本線動画をモニタ４で確認しながら、映像の編集を行うことが出来る。
【００９０】
なお、以上の説明においては、ステップＳ２０３の処理が終了した後、ステップＳ２０４以降の処理が実行されるようにして説明しているが、ステップＳ２０３の処理が終了する前に、ステップＳ２０４以降の処理を開始しても良い。すなわち、ステップＳ２０３の低解像度画像送信処理におけるステップＳ２３５の処理が終了した時点で、ステップＳ２３６以降の処理と同時並行に、ステップＳ２０４以降の処理を実行しても良い。
【００９１】
次に、図１０のフローチャートを参照して、ディスクドライブ装置１の追従モード処理について説明する。
【００９２】
図１０のステップＳ３０１において、制御部４２は、コマンド解析部４４からの通知に基づいて、ノンリニア編集機３より、低解像度画像ファイルが要求されたか否かを判定し、ノンリニア編集機３より、低解像度画像ファイルが要求された場合、処理はステップＳ３０２に進む。ステップＳ３０２において、制御部４２は、ディスクドライブ装置１の各部を制御して、図８の低解像度画像送信処理を実行する。その後、処理はステップＳ３０３に進む。
【００９３】
ステップＳ３０３において、制御部４２は、ステップＳ３０２でノンリニア編集機３に送信した低解像度画像ファイルに対応する本線動画データの読み出し位置を決定する。ここで、図１１および図１２を参照して、低解像度画像ファイルに対応する本線動画データ読み出し位置の決定の原理について説明する。
【００９４】
ディスク２１には、本線動画、本線動画に対応する低解像度画像、および、本線動画と低解像度画像の対応関係を表すテーブルが記憶されている。図１１は、ディスク２１に記録されている本線動画と低解像度画像の対応関係を示している。図１１の左側には、上から順番に、「低解像度画像」、「本線動画」、および「タイムコード」と記されている。「低解像度画像」と記された位置の右側に、４個に区切られている長方形は、それぞれ、低解像度画像のファイルを表している。ここで、ファイルの個々を区別するために、図に示されるように、４個の低解像度画像のファイルのそれぞれを、左側から順番にｍ、ｍ＋１、ｍ＋２、およびｍ＋３として説明する。なお、図１１においては、説明の便宜上、４個の低解像度画像のファイルを例に説明しているが、実際には、低解像度画像のファイル数は４個に限定されるものではない。
【００９５】
図１１において、「低解像度画像」と記された位置の下には、「本線動画」と記されている。「本線動画」と記された位置の右側に、２０個に区切られている長方形は、それぞれ、本線動画のフレームを表している。ここで、フレームの個々を区別するために、図に示されるように、２０個のフレームのそれぞれを左側から順番にｎ乃至ｎ＋１９として説明する。なお、図１１においては、説明の便宜上、２０個のフレームを例に説明しているが、実際には、本線動画のフレーム数は２０個に限定されるものではない。
【００９６】
図１１において、「本線動画」と記された位置の下には、「タイムコード」と記されている。「タイムコード」と記された位置の右側に、２０個に区切られている長方形は、それぞれ、ｎ乃至ｎ＋１９の本線動画のフレームに対応するタイムコードを表している。ここで、タイムコードの個々を区別するために、図に示されるように、２０のタイムコードのそれぞれを左側から順番にｔ乃至ｔ＋１９として説明する。
【００９７】
図１１において、低解像度画像のファイルｍは、本線動画のフレームｎ乃至ｎ＋４に対応する低解像度画像のデータにより構成されている。また、低解像度画像のファイルｍ＋１は、本線動画のフレームｎ＋５乃至ｎ＋９に対応する低解像度画像のデータにより構成されている。また、低解像度画像のファイルｍ＋２は、本線動画のフレームｎ＋１０乃至ｎ＋１４に対応する低解像度画像のデータにより構成されている。また、低解像度画像のファイルｍ＋３は、本線動画のフレームｎ＋１５乃至ｎ＋１９に対応する低解像度画像のデータにより構成されている。
【００９８】
図１１に矢印で示されるように、低解像度画像のファイルｍには、本線動画のフレームｎ（タイムコードｔ）が対応付けられ、低解像度画像のファイルｍ＋１には、本線動画のフレームｎ＋５（タイムコードｔ＋５）が対応付けられ、低解像度画像のファイルｍ＋２には、本線動画のフレームｎ＋１０（タイムコードｔ＋１０）が対応付けられ、低解像度画像のファイルｍ＋３には、本線動画のフレームｎ＋１５（タイムコードｔ＋１５）が対応付けられたテーブルが、ディスク２１に記憶される。ディスク２１に記憶されたテーブルの例を図１２に示す。
【００９９】
図１２の表において、左側の列には、図１１に示された低解像度画像のファイルｍ、ｍ＋１、ｍ＋２、およびｍ＋３が、上から順番に示されている。図１２の中央の列には、低解像度画像のファイルに対応する本線動画のフレームのタイムコードｔ、ｔ＋５、ｔ＋９、およびｔ＋１４が、上から順番に示されている。図１２の右側の列には、低解像度画像のファイルが記録されているディスク２１上のセクタアドレスが示されている。
【０１００】
例えば、ノンリニア編集機３から、低解像度画像のファイルｍの送信が要求された場合、ディスクドライブ装置１は、図１２のテーブルを参照して、ファイルｍに対応するセクタを特定し、特定したセクタから、ファイルｍを読み出し、ノンリニア編集機３に送信する。そして、ディスクドライブ装置１は、図１２のテーブルを参照して、ファイルｍに対応するタイムコードｔを特定し、タイムコードｔの位置以降のフレーム、すなわち、フレームｎ乃至ｎ＋４をディスク２１から読み出し、モニタ４に表示させる。
【０１０１】
また、例えば、ノンリニア編集機３から、低解像度画像のファイルｍ＋１の送信が要求された場合、ディスクドライブ装置１は、図１２のテーブルを参照して、ファイルｍ＋１に対応するセクタを特定し、特定したセクタから、ファイルｍ＋１を読み出し、ノンリニア編集機３に送信する。そして、ディスクドライブ装置１は、図１２のテーブルを参照して、ファイルｍ＋１に対応するタイムコードｔ＋５を特定し、タイムコードｔ＋５の位置以降のフレーム、すなわち、フレームｎ＋５乃至ｎ＋９をディスク２１から読み出し、モニタ４に表示させる。
【０１０２】
また、例えば、ノンリニア編集機３から、低解像度画像のファイルｍ＋２の送信が要求された場合、ディスクドライブ装置１は、図１２のテーブルを参照して、ファイルｍ＋２に対応するセクタを特定し、特定したセクタから、ファイルｍ＋２を読み出し、ノンリニア編集機３に送信する。そして、ディスクドライブ装置１は、図１２のテーブルを参照して、ファイルｍ＋２に対応するタイムコードｔ＋１０を特定し、タイムコードｔ＋１０の位置以降のフレーム、すなわち、フレームｎ＋１０乃至ｎ＋１４をディスク２１から読み出し、モニタ４に表示させる。
【０１０３】
さらにまた、例えば、ノンリニア編集機３から、低解像度画像のファイルｍ＋３の送信が要求された場合、ディスクドライブ装置１は、図１２のテーブルを参照して、ファイルｍ＋３に対応するセクタを特定し、特定したセクタから、ファイルｍ＋３を読み出し、ノンリニア編集機３に送信する。そして、ディスクドライブ装置１は、図１２のテーブルを参照して、ファイルｍ＋３に対応するタイムコードｔ＋１５を特定し、タイムコードｔ＋１５の位置以降のフレーム、すなわち、フレームｎ＋１５乃至ｎ＋１９をディスク２１から読み出し、モニタ４に表示させる。
【０１０４】
図１２のテーブルは以上のように、低解像度画像の読み出し位置（低解像度画像が記録されたセクタ）の特定、および低解像度画像に対応する本線動画のフレーム（タイムコード）の特定のために利用される。制御部４２は、ディスク２１がディスクドライブ装置１に挿入されたとき、ディスクドライブ装置１の各部を制御して、図１２のテーブルを取得し、保持している。そして、例えば、ステップＳ３０３の処理に利用される。
【０１０５】
図１０のフローチャートに戻って、ステップＳ３０３において、制御部４２は、ステップＳ３０２でノンリニア編集機３に送信した低解像度画像ファイルに対応する本線動画データの読み出し位置（タイムコード）を、図１２に示されるテーブルを参照して決定する。
【０１０６】
ステップＳ３０３の処理の後、ステップＳ３０４において、制御部４２は、ディスクドライブ装置１の各部を制御して、図９の本線動画出力処理を実行する。なお、ステップＳ３０４において、制御部４２は、ステップＳ３０３で決定された読み出し位置から、本線動画を読み出し、モニタ４に出力する。
【０１０７】
ステップＳ３０４の処理の後、ステップＳ３０５において、制御部４２は、入力部４１からの操作情報に基づいて、編集者により再生コマンドが入力されたか否かを判定すると共に、コマンド解析部４４からの通知に基づいて、ノンリニア編集機３より、再生コマンドが受信されたか否かを判定する。そして、制御部４２が、再生コマンドが入力されたと判定した場合、または、ノンリニア編集機３より、再生コマンドが受信されたと判定した場合、処理は、後述するステップＳ３０９の処理に進む。
【０１０８】
ステップＳ３０５において、制御部４２が、再生コマンドが入力されず、かつ、ノンリニア編集機３より、再生コマンドが受信されていない判定した場合、処理はステップＳ３０６に進む。
【０１０９】
ステップＳ３０６において、制御部４２は、入力部４１からの操作情報に基づいて、編集者により停止コマンドが入力されたか否かを判定すると共に、コマンド解析部４４からの通知に基づいて、ノンリニア編集機３より、停止コマンドが受信されたか否かを判定し、停止コマンドが入力された場合、または、ノンリニア編集機３より、停止コマンドが受信された場合、処理はステップＳ３０１に戻り、ステップＳ３０１以降の処理が繰り返し実行される。従って、モニタ４への本線動画の表示は停止される。
【０１１０】
ステップＳ３０６において、制御部４２が、停止コマンドが入力さず、かつ、ノンリニア編集機３より、停止コマンドが受信されていないと判定した場合、処理はステップＳ３０７に進む。
【０１１１】
ステップＳ３０７において、制御部４２は、コマンド解析部４４からの通知に基づいて、ノンリニア編集機３より、低解像度画像ファイルが要求されたか否かを判定し、ノンリニア編集機３より、低解像度画像ファイルが要求された場合、処理はステップＳ３０２に戻り、ステップＳ３０２以降の処理が繰り返し実行される。結果的に、ノンリニア編集機３に、要求された低解像度画像ファイルが送信されると共に、ノンリニア編集機３に送信された低解像度画像ファイルに対応する本線動画がモニタ４に表示される。
【０１１２】
ステップＳ３０７において、制御部４２が、ノンリニア編集機３より、低解像度画像ファイルが要求されていないと判定した場合、処理はステップＳ３０４に戻り、ステップＳ３０４以降の処理が繰り返し実行される。結果的に、ノンリニア編集機３に送信した低解像度画像に対応する本線動画の、モニタ４への表示が繰り返される。
【０１１３】
なお、ステップＳ３０７の処理の後に、繰り返し実行されるステップＳ３０４の処理においては、本線動画データの読み出し位置は、前回実行されたステップＳ３０４の処理における読み出し位置と同一の読み出し位置であるようにしても良いし、時系列上、前回実行されたステップＳ３０４の処理において読み出された本線動画データに続く本線動画データの読み出し位置であっても良い。
【０１１４】
繰り返し実行されるステップＳ３０４の処理において、本線動画データの読み出し位置を、前回実行されたステップＳ３０４の処理における読み出し位置と同一の読み出し位置であるようにした場合、ステップＳ３０３で決定された読み出し位置から、同一区間の本線動画データが繰り返し読み出され、モニタ４には、同一区間の本線動画が繰り返し表示される。繰り返し実行されるステップＳ３０４の処理において、本線動画データの読み出し位置を、時系列上、前回実行されたステップＳ３０４の処理において読み出された本線動画データに続く本線動画データの読み出し位置であるようにした場合、モニタ４には、時系列に沿って、前回モニタ４に表示された本線動画に続く本線動画が表示される。
【０１１５】
ステップＳ３０１において、制御部４２が、ノンリニア編集機３より、低解像度画像ファイルが要求されていないと判定した場合、処理はステップＳ３０８に進む。
【０１１６】
ステップＳ３０８において、制御部４２は、入力部４１からの操作情報に基づいて、編集者により再生コマンドが入力されたか否かを判定すると共に、コマンド解析部４４からの通知に基づいて、ノンリニア編集機３より、再生コマンドが受信されたか否かを判定する。そして、制御部４２が、再生コマンドが入力されたと判定せず、かつ、ノンリニア編集機３より、再生コマンドが受信されたと判定していない場合、処理はステップＳ３０１に戻り、ステップＳ３０１以降の処理が繰り返し実行される。
【０１１７】
ステップＳ３０８において、制御部４２が、再生コマンドが入力されたと判定した場合、または、ノンリニア編集機３より、再生コマンドが受信されたと判定した場合、処理はステップＳ３０９の処理に進む。
【０１１８】
ステップＳ３０９において、ロケーション確認部４５は、コマンド解析部４４からの通知に基づいて、ピックアップ４９によるディスク２１上の本線動画データの読み出し位置を決定し、ディスク制御部４７に通知すると共に、バッファ制御部４６に、バッファ５１に確保すべき記憶領域を通知する。
【０１１９】
ステップＳ３１０において、制御部４２は、ディスクドライブ装置１の各部を制御して、図９の本線動画出力処理を実行する。なお、ステップＳ３１０においては、ステップＳ３０９で決定された読み出し位置より、本線動画が読み出され、モニタ４に出力される。
【０１２０】
ステップＳ３１０の処理の後、ステップＳ３１１において、制御部４２は、入力部４１からの操作情報に基づいて、編集者により再生コマンドが入力されたか否かを判定すると共に、コマンド解析部４４からの通知に基づいて、ノンリニア編集機３より、再生コマンドが受信されたか否かを判定する。そして、制御部４２が、再生コマンドが入力されたと判定した場合、または、ノンリニア編集機３より、再生コマンドが受信されたと判定した場合、処理はステップＳ３０９に戻り、ステップＳ３０９以降の処理が繰り返し実行される。
【０１２１】
ステップＳ３１１において、制御部４２が、再生コマンドが入力されず、かつ、ノンリニア編集機３より、再生コマンドが受信されていない判定した場合、処理はステップＳ３１２に進む。
【０１２２】
ステップＳ３１２において、制御部４２は、入力部４１からの操作情報に基づいて、編集者により停止コマンドが入力されたか否かを判定すると共に、コマンド解析部４４からの通知に基づいて、ノンリニア編集機３より、停止コマンドが受信されたか否かを判定する。そして、制御部４２が、停止コマンドが入力されたと判定した場合、または、ノンリニア編集機３より、停止コマンドが受信されたと判定した場合、処理はステップＳ３０１に戻り、ステップＳ３０１以降の処理が繰り返し実行される。従って、モニタ４への本線動画の表示は停止される。
【０１２３】
ステップＳ３１２において、制御部４２が、停止コマンドが入力さず、かつ、ノンリニア編集機３より、停止コマンドが受信されていないと判定した場合、処理はステップＳ３１３に進む。
【０１２４】
ステップＳ３１３において、制御部４２は、コマンド解析部４４からの通知に基づいて、ノンリニア編集機３より、低解像度画像ファイルが要求されたか否かを判定し、ノンリニア編集機３より、低解像度画像ファイルが要求された場合、処理はステップＳ３０２に戻り、ステップＳ３０２以降の処理が繰り返し実行される。
【０１２５】
ステップＳ３１３において、制御部４２が、ノンリニア編集機３より、低解像度画像ファイルが要求されていないと判定した場合、処理はステップＳ３１０に戻り、ステップＳ３１０以降の処理が繰り返し実行される。結果的に、モニタ４への、本線動画の表示が繰り返される。
【０１２６】
なお、ステップＳ３１３の処理の後に、繰り返し実行されるステップＳ３１０の処理においては、本線動画データの読み出し位置は、前回実行されたステップＳ３１０の処理における読み出し位置と同一の読み出し位置であるようにしても良いし、時系列上、前回実行されたステップＳ３１０の処理において読み出された本線動画データに続く本線動画データの読み出し位置であっても良い。
【０１２７】
繰り返し実行されるステップＳ３１０の処理において、本線動画データの読み出し位置を、前回実行されたステップＳ３１０の処理における読み出し位置と同一の読み出し位置であるようにした場合、ステップＳ３０９で決定された読み出し位置から、同一区間の本線動画データが繰り返し読み出され、モニタ４には、同一区間の本線動画が繰り返し表示される。繰り返し実行されるステップＳ３１０の処理において、本線動画データの読み出し位置を、時系列上、前回実行されたステップＳ３１０の処理において読み出された本線動画データに続く本線動画データの読み出し位置であるようにした場合、モニタ４には、時系列に沿って、前回モニタ４に表示された本線動画に続く本線動画が表示される。
【０１２８】
以上で、ディスクドライブ装置１の追従モード処理の説明を終了する。追従モード処理によれば、モニタ４には、ノンリニア編集機３に送信された低解像度画像に対応する本線動画が自動的に表示されるため、編集者は、本線動画の再生を指定する必要がない。また、編集者は、モニタ４に自動的に表示される本線動画により、映像の細部を確認しながら、ノンリニア編集機３において、低解像度映像を利用して、映像を編集することが可能となる。また、ノンリニア編集機３に送信された低解像度画像に対応する本線動画が自動的に表示される際に、編集者は、入力部４１を操作するか、またはノンリニア編集機３を介して、再生操作を入力することにより、モニタ４に表示させる本線動画の再生位置を移動させることができるので、所望する本線動画を短時間でモニタ４に表示させることができる。
【０１２９】
次に、図１３のフローチャートを参照して、ディスクドライブ装置１の自動モード処理について説明する。なお、ステップＳ３５１乃至ステップＳ３６１の処理は、図７の独立モード処理におけるステップＳ２０１乃至ステップＳ２１１の処理と同様である。
【０１３０】
すなわち、ステップＳ３５１において、制御部４２は、入力部４１からの操作情報に基づいて、編集者により再生コマンドが入力されたか否かを判定すると共に、コマンド解析部４４からの通知に基づいて、ノンリニア編集機３より、再生コマンドが受信されたか否かを判定する。そして、制御部４２が、再生コマンドが入力されたと判定した場合、または、ノンリニア編集機３より、再生コマンドが受信されたと判定した場合、処理はステップＳ３５２に進む。
【０１３１】
ステップＳ３５２において、制御部４２は、コマンド解析部４４からの通知に基づいて、ノンリニア編集機３より、低解像度画像ファイルが要求されたか否かを判定し、ノンリニア編集機３より、低解像度画像ファイルが要求された場合、処理はステップＳ３５３に進む。ステップＳ３５３において、制御部４２は、図８の低解像度画像送信処理を実行する。ステップＳ３５３の処理の後、処理はステップＳ３５４に進む。
【０１３２】
ステップＳ３５２において、制御部４２が、ノンリニア編集機３より、低解像度画像ファイルが要求されてはいないと判定した場合、ステップＳ３５３の処理はスキップされ、処理はステップＳ３５４に進む。
【０１３３】
ステップＳ３５４において、ロケーション確認部４５は、コマンド解析部４４からの通知に基づいて、ピックアップ４９によるディスク２１上の本線動画の読み出し位置を決定し、ディスク制御部４７に通知すると共に、バッファ制御部４６に、バッファ５１に確保すべき記憶領域を通知する。ステップＳ３５５において、制御部４２は、ディスクドライブ装置１の各部を制御して、図９の本線動画出力処理を実行する。なお、ステップＳ３５５においては、ステップＳ３５４で決定された読み出し位置より本線動画が読み出される。
【０１３４】
ステップＳ３５５の処理の後、ステップＳ３５６において、制御部４２は、入力部４１からの操作情報に基づいて、編集者により再生コマンドが入力されたか否かを判定すると共に、コマンド解析部４４からの通知に基づいて、ノンリニア編集機３より、再生コマンドが受信されたか否かを判定し、再生コマンドが入力された場合、または、ノンリニア編集機３より、再生コマンドが受信された場合、処理はステップＳ３５２に戻り、ステップＳ３５２以降の処理が繰り返し実行される。ステップＳ３５６において、制御部４２が、再生コマンドが入力されず、かつ、ノンリニア編集機３より、再生コマンドが受信されていないと判定した場合、処理はステップＳ３５７に進む。
【０１３５】
ステップＳ３５７において、制御部４２は、入力部４１からの操作情報に基づいて、編集者により停止コマンドが入力されたか否かを判定すると共に、コマンド解析部４４からの通知に基づいて、ノンリニア編集機３より、停止コマンドが受信されたか否かを判定し、停止コマンドが入力された場合、または、ノンリニア編集機３より、停止コマンドが受信された場合、処理はステップＳ３５１に戻り、ステップＳ３５１以降の処理が繰り返し実行される。従って、モニタ４への本線動画の表示は停止される。ステップＳ３５７において、制御部４２が、停止コマンドが入力されず、かつ、ノンリニア編集機３より、停止コマンドが受信されていないと判定した場合、処理はステップＳ３５８に進む。
【０１３６】
ステップＳ３５８において、制御部４２は、コマンド解析部４４からの通知に基づいて、ノンリニア編集機３より、低解像度画像ファイルが要求されたか否かを判定し、ノンリニア編集機３より、低解像度画像ファイルが要求された場合、処理はステップＳ３５９に進む。ステップＳ３５９において、制御部４２は、ディスクドライブ装置１の各部を制御して、図８の低解像度画像送信処理を実行する。その後、処理はステップＳ３５５に戻り、ステップＳ３５５以降の処理が繰り返し実行される。ステップＳ３５８において、制御部４２が、ノンリニア編集機３より、低解像度画像ファイルが要求されていないと判定した場合、処理はステップＳ３５５に戻り、ステップＳ３５５以降の処理が繰り返し実行される。
【０１３７】
ステップＳ３５１において、制御部４２が、再生コマンドが入力されていないと判定し、かつ、ノンリニア編集機３より、再生コマンドが受信されていないと判定した場合、処理はステップＳ３６０に進む。ステップＳ３６０において、制御部４２は、コマンド解析部４４からの通知に基づいて、ノンリニア編集機３より、低解像度画像ファイルが要求されたか否かを判定し、ノンリニア編集機３より、低解像度画像ファイルが要求されていない場合、処理はステップＳ３５１に戻り、ステップＳ３５１以降の処理が繰り返し実行される。ステップＳ３６０において、制御部４２が、ノンリニア編集機３より、低解像度画像ファイルが要求されたと判定した場合、処理はステップＳ３６１に進む。
【０１３８】
ステップＳ３６１において、制御部４２は、図８の低解像度画像送信処理を実行する。ここまでの処理は、図７の独立モード処理と同一である。ステップＳ３６１の処理の後、処理はステップＳ３６２に進む。
【０１３９】
ステップＳ３６２において、ロケーション確認部４５は、図１２のテーブルを参照して、ステップＳ３６１でノンリニア編集機３に送信した低解像度画像に対応するディスク２１上の本線動画の読み出し位置を決定し、ディスク制御部４７に通知すると共に、バッファ制御部４６に、バッファ５１に確保すべき記憶領域を通知する。ステップＳ３６３において、制御部４２は、ディスクドライブ装置１の各部を制御して、図９の本線動画出力処理を実行する。なお、ステップＳ３６３においては、ステップＳ３６２で決定された読み出し位置より本線動画が読み出される。
【０１４０】
ステップＳ３６３の処理の後、ステップＳ３６４において、制御部４２は、入力部４１からの操作情報に基づいて、編集者により再生コマンドが入力されたか否かを判定すると共に、コマンド解析部４４からの通知に基づいて、ノンリニア編集機３より、再生コマンドが受信されたか否かを判定し、再生コマンドが入力された場合、または、ノンリニア編集機３より、再生コマンドが受信された場合、処理はステップＳ３５２に戻り、ステップＳ３５２以降の処理が繰り返し実行される。ステップＳ３６４において、制御部４２が、再生コマンドが入力されず、かつ、ノンリニア編集機３より、再生コマンドが受信されていないと判定した場合、処理はステップＳ３６５に進む。
【０１４１】
ステップＳ３６５において、制御部４２は、入力部４１からの操作情報に基づいて、編集者により停止コマンドが入力されたか否かを判定すると共に、コマンド解析部４４からの通知に基づいて、ノンリニア編集機３より、停止コマンドが受信されたか否かを判定し、停止コマンドが入力された場合、または、ノンリニア編集機３より、停止コマンドが受信された場合、処理はステップＳ３５１に戻り、ステップＳ３５１以降の処理が繰り返し実行される。従って、モニタ４への本線動画の表示は停止される。ステップＳ３６５において、制御部４２が、停止コマンドが入力されず、かつ、ノンリニア編集機３より、停止コマンドが受信されていないと判定した場合、処理はステップＳ３６６に進む。
【０１４２】
ステップＳ３６６において、制御部４２は、コマンド解析部４４からの通知に基づいて、ノンリニア編集機３より、低解像度画像ファイルが要求されたか否かを判定し、ノンリニア編集機３より、低解像度画像ファイルが要求された場合、処理はステップＳ３６１に戻り、ステップＳ３６１以降の処理が繰り返し実行される。ステップＳ３６６において、制御部４２が、ノンリニア編集機３より、低解像度画像ファイルが要求されていないと判定した場合、処理はステップＳ３６３に戻り、ステップＳ３６３以降の処理が繰り返し実行される。結果的に、モニタ４への、本線動画の表示が繰り返される。
【０１４３】
なお、ステップＳ３６６の処理の後に、繰り返し実行されるステップＳ３６３の処理においては、本線動画データの読み出し位置は、前回実行されたステップＳ３６３の処理における読み出し位置と同一の読み出し位置であるようにしても良いし、時系列上、前回実行されたステップＳ３６３の処理において読み出された本線動画データに続く本線動画データの読み出し位置であっても良い。
【０１４４】
繰り返し実行されるステップＳ３６３の処理において、本線動画データの読み出し位置を、前回実行されたステップＳ３６３の処理における読み出し位置と同一の読み出し位置であるようにした場合、ステップＳ３６２で決定された読み出し位置から、同一区間の本線動画データが繰り返し読み出され、モニタ４には、同一区間の本線動画が繰り返し表示される。繰り返し実行されるステップＳ３６３の処理において、本線動画データの読み出し位置を、時系列上、前回実行されたステップＳ３６３の処理において読み出された本線動画データに続く本線動画データの読み出し位置であるようにした場合、モニタ４には、時系列に沿って、前回モニタ４に表示された本線動画に続く本線動画が表示される。
【０１４５】
以上で、ディスクドライブ装置１の自動モード処理の説明を終了する。自動モード処理によれば、編集者により本線動画の再生が指示された場合、モニタ４には指示された本線動画が表示される。また、編集者により本線動画の再生が指示されていない場合、ノンリニア編集機３より低解像度画像の送信が要求されたとき、ノンリニア編集機３に、要求された低解像度画像を送信すると共に、送信した低解像度画像に対応する本線動画をモニタ４に表示する。従って、編集者は、必要なときには、ノンリニア編集機３で利用している低解像度画像と対応していない本線動画をモニタ４で確認することも出来るし、特に本線動画の表示を指定していないときには、ノンリニア編集機３で利用している低解像度画像と対応する本線動画をモニタ４で確認することも出来る。
【０１４６】
以上に説明したように、本発明を適用したディスクドライブ装置１によれば、ノンリニア編集機３に送信する映像は、本線動画よりデータ量が少ない低解像度画像ファイルであるため、短時間で、ディスク２１からのファイルの読み出し、およびノンリニア編集機３へのファイルの送信を完了することが出来る。また、ディスクドライブ装置１とノンリニア編集機３間の通信手段が、例えばブルートゥースのように、通信レートの低い通信手段であったとしても、短時間で、データの通信を完了することができる。結果的に、編集者は滞りなく編集作業を行うことができる。
【０１４７】
また、ノンリニア編集機３に送信した低解像度画像に対応する本線動画、または編集者により指示された本線動画を、モニタ４に表示させることにより、編集者は、高解像度の本線動画により映像の細部を確認しながら、映像の編集を行うことが出来る。このように、編集作業開始までに要する時間を短縮しつつ、高解像度の映像も表示可能とすることにより、編集時の操作性をより改善することができる。
【０１４８】
また、上記したように、独立モード、追従モード、および自動モードの設定により、異なる動作を可能とすることにより、編集者は、所望する動作モードを選択することができる。従って、さらに編集時の操作性を改善することができる。
【０１４９】
さらに、ノンリニア編集機３において、単純なカット編集だけのＥＤＬ（Ｅｄｉｔ　Ｄｅｃｉｓｉｏｎ　Ｌｉｓｔ）を作成する場合、ディスクドライブ装置１からノンリニア編集機３に本線動画データを送信する必要が無いため、編集作業に要する時間を著しく短縮することが可能となると共に、ノンリニア編集機３が記憶するべきデータ量を少なく抑えることが可能となる。
【０１５０】
また、ノンリニア編集機３は、本線動画データを表示させる必要が無いため、ノンリニア編集機３が消費する電量量を少なくすることができる。そのため、バッテリ駆動のノンリニア編集機、または本線動画データを処理するには処理能力が足りないノンリニア編集機でも、映像の編集を行うことが可能となる。
【０１５１】
また、低解像度画像ファイルはデータ量が少ないため、ディスクドライブ装置１およびモニタ４と、ノンリニア編集機３が遠隔地に設置されていた場合でも、インターネットなどのネットワークを介して、ディスクドライブ装置１からノンリニア編集機３に低解像度ファイルを送信して、ノンリニア編集機３において編集処理を行うことができる。
【０１５２】
また、低解像度画像ファイルは、一般のデータファイルとしてディスク２１から読み出すことができるので、ノンリニア編集機３は、通常のデータファイルとして、低解像度画像ファイルを扱うことができる。
【０１５３】
また、本線動画の再生位置は、ノンリニア編集機３から指定することもできるが、ディスクドライブ装置１の入力部４１の操作により指定することができるため、本線動画の再生位置を指定することができない汎用のノンリニア編集機３を用いた場合でも、編集者は、モニタ４に、所望の再生位置から本線動画を表示させることができる。
【０１５４】
上述した一連の処理は、ハードウエアにより実行させることもできるが、ソフトウェアにより実行させることもできる。この場合、ディスクドライブ装置１は、図１４に示されるような汎用のパーソナルコンピュータ５００により構成される。
【０１５５】
図１４において、ＣＰＵ（Ｃｅｎｔｒａｌ　Ｐｒｏｃｅｓｓｉｎｇ　Ｕｎｉｔ）５０１は、ＲＯＭ（Ｒｅａｄ　ＯｎｌｙＭｅｍｏｒｙ）５０２に記憶されているプログラム、または記憶部５０９からＲＡＭ（Ｒａｎｄｏｍ　Ａｃｃｅｓｓ　Ｍｅｍｏｒｙ）５０３にロードされたプログラムに従って各種の処理を実行する。ＲＡＭ５０３にはまた、ＣＰＵ５０１が各種の処理を実行する上において必要なデータなども適宜記憶される。
【０１５６】
ＣＰＵ５０１、ＲＯＭ５０２、およびＲＡＭ５０３は、バス５０４を介して相互に接続されている。このバス５０４にはまた、入出力インタフェース５０５も接続されている。
【０１５７】
入出力インタフェース５０５には、キーボード、マウスなどよりなる操作部５０６、スピーカなどよりなり、音声を出力する音声出力部５０７、ＬＣＤ（Ｌｉｑｕｉｄ　Ｃｒｙｓｔａｌ　Ｄｉｓｐｌａｙ）、またはＣＲＴ（Ｃａｔｈｏｄｅ　Ｒａｙ　Ｔｕｂｅ）などよりなるディスプレイ５０８、ハードディスクなどより構成される記憶部５０９、モデム、ターミナルアダプタなどより構成される通信部５１０が接続されている。通信部５１０は、インターネットを含むネットワークを介しての通信処理を行う。
【０１５８】
入出力インタフェース５０５にはまた、必要に応じてドライブ５１１が接続され、磁気ディスク５２１、光ディスク５２２、光磁気ディスク５２３、或いは半導体メモリ５２４などが適宜装着され、それらから読み出されたコンピュータプログラムが、必要に応じて記憶部５０９にインストールされる。
【０１５９】
一連の処理をソフトウェアにより実行させる場合には、そのソフトウェアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０１６０】
この記録媒体は、図１４に示されるように、装置本体とは別に、ユーザにプログラムを供給するために配布される、プログラムが記憶されている磁気ディスク５２１（フレキシブルディスクを含む）、光ディスク５２２（ＣＤ−ＲＯＭ，ＤＶＤを含む）、光磁気ディスク５２３（ＭＤ（Ｍｉｎｉ−Ｄｉｓｋ）を含む）、もしくは半導体メモリ５２４などよりなるパッケージメディアにより構成されるだけでなく、装置本体に予め組み込まれた状態でユーザに供給される、プログラムが記憶されているＲＯＭ５０２や、記憶部５０９に含まれるハードディスクなどで構成される。
【０１６１】
また、記録媒体へのプログラムの格納は、必要に応じて通信部５１０を介して、ローカルエリアネットワーク、インターネット、デジタル衛星放送といった有線または無線の通信媒体を利用して行われるようにしても良い。
【０１６２】
なお、本明細書において、媒体により提供されるプログラムを記述するステップは、記載された順序に従って、時系列的に行われる処理は勿論、必ずしも時系列的に処理されなくとも、並列的あるいは個別に実行される処理をも含むものである。
【０１６３】
また、本明細書において、システムとは、複数の装置により構成される装置全体を表すものである。
【０１６４】
【発明の効果】
以上のように、本発明によれば、編集者に、低解像度の映像を利用して編集作業を行わせることが可能となる。
【０１６５】
また、本発明によれば、編集作業を開始するまでの時間を短縮し、かつ、高解像度の映像も表示させることが可能となる。従って、編集作業全体が完了するまでの時間を短縮することが出来るため、短時間で映像の編集を行わなくてはならない状況でも、ノンリニア編集機による映像の編集を実行可能になる。また、編集者に、高解像度の映像を参照して、編集作業をさせることができる。
【０１６６】
さらにまた、本発明によれば、ノンリニア編集機との間の通信手段が、通信レートの低い通信手段である場合においても、短時間で編集作業の対象となる映像の送信を完了することができ、結果的に、編集者は滞りなく編集作業を行うことができる。
【図面の簡単な説明】
【図１】本発明を適用した編集システムの構成例を示すブロック図である。
【図２】図１の編集システムの動作例を説明する図である。
【図３】図１の編集システムの動作例を説明する他の図である。
【図４】図１の編集システムの動作例を説明するさらに他の図である。
【図５】図１の編集システムの動作例を説明する図である。
【図６】図１のディスクドライブ装置の内部の構成例を示すブロック図である。
【図７】ディスクドライブ装置の独立モード処理を説明するフローチャートである。
【図８】ディスクドライブ装置の低解像度画像送信処理を説明するフローチャートである。
【図９】ディスクドライブ装置の本線動画出力処理を説明するフローチャートである。
【図１０】ディスクドライブ装置の追従モード処理を説明するフローチャートである。
【図１１】低解像度映像と対応する本線動画の検出の原理を説明する図である。
【図１２】ディスクに記録されたテーブルの例を示す図である。
【図１３】ディスクドライブ装置の自動モード処理を説明するフローチャートである。
【図１４】本発明を適用したパーソナルコンピュータの構成例を示すブロック図である。
【符号の説明】
１　ディスクドライブ装置，　２　通信回線，　３　ノンリニア編集機，　４　モニタ，　２１　ディスク，　４１　入力部，　４２　制御部，　４３　マルチプレクサ／デマルチプレクサ，　４４　コマンド解析部，　４５　ロケーション確認部，　４６　バッファ制御部，　４７　ディスク制御部，　４８　スピンドルモータ，　４９　ピックアップ，　５０　ＥＣＣデコーダ，　５１　バッファ，　５２　パケット化部，　５３　動画デコーダ
【図１】
2004072476.tif 000003
【図２】
2004072476.tif 000004
【図３】
2004072476.tif 000005
【図４】
2004072476.tif 000006
【図５】
2004072476.tif 000007
【図６】
2004072476.tif 000008
【図７】
2004072476.tif 000009
【図８】
2004072476.tif 000010
【図９】
2004072476.tif 000011
【図１０】
2004072476.tif 000012
【図１１】
2004072476.tif 000013
【図１２】
2004072476.tif 000014
【図１３】
2004072476.tif 000015
【図１４】
2004072476.tif 000016